(57)【要約】  容器（１）は、歯間ブラシ（３００）を含んでおり、歯間ブラシ（３００）は、ブラシ（３１０）と、歯間ブラシホルダ（４００）における連結のための円筒形の柄（３２０）とを含んでいる。容器（１）は、容器底部（１００）の歯間ブラシ収容領域に歯間ブラシ収容部（１１０）を含んでおり、該歯間ブラシ収容部（１１０）によって歯間ブラシ（３００）は、柄（３２０）に解離可能に保持されている。歯間ブラシ収容部（１１０）は、クランプ溝（１１２）として形成されており、該クランプ溝（１１２）内に柄（３２０）はクランプ保持されていて、かつクランプ溝（１１２）から歯間ブラシ（３００）は、クランプ溝の長手方向に対して直角に取出し可能である。
2020529268.tif 000002
【特許請求の範囲】
【請求項１】
歯間ブラシ（３００）を備えた容器（１）であって、前記歯間ブラシ（３００）は、ブラシ（３１０）と、歯間ブラシホルダ（４００）における連結のための円筒形の柄（３２０）とを含んでおり、かつ当該容器（１）は、容器底部（１００）の歯間ブラシ収容領域に歯間ブラシ収容部（１１０）を含んでおり、該歯間ブラシ収容部（１１０）によって前記歯間ブラシ（３００）は、前記柄（３２０）を介して解離可能に保持されている、容器（１）において、
前記歯間ブラシ収容部（１１０）は、クランプ溝（１１２）として形成されており、該クランプ溝（１１２）内に前記柄（３２０）がクランプ保持されていて、かつ前記クランプ溝（１１２）から前記歯間ブラシ（３００）は、クランプ溝の長手方向に対して直角方向に取出し可能である
ことを特徴とする、容器（１）。
【請求項２】
前記歯間ブラシ（３００）は、前記クランプ溝（１１２）によって前記クランプ溝の長手方向に沿って方向付けられている、
請求項１記載の容器（１）。
【請求項３】
前記クランプ溝（１１２）は、横断面で見て開口方向に向かって先細りしており、これによって前記柄（３２０）は前記クランプ溝（１１２）内において係止されている、
請求項１記載の容器（１）。
【請求項４】
前記クランプ溝（１１２）は、一方の端部領域に、横断面先細り部を前記柄（３２０）のためのストッパとして有している、
請求項１記載の容器（１）。
【請求項５】
前記クランプ溝（１１２）に、前記クランプ溝の長手方向において横断面拡大部が接続しており、これによって前記歯間ブラシホルダ（４００）を、前記歯間ブラシ（３００）の前記柄（３２０）と一直線に整列させて連結させることができる、
請求項１記載の容器（１）。
【請求項６】
前記クランプ溝（１１２）に、前記クランプ溝の長手方向に隣接して屈曲折り目が設けられていて、該屈曲折り目は、前記クランプ溝の長手方向に対して横方向に前記容器底部（１００）に形成されている、
請求項１記載の容器（１）。
【請求項７】
前記歯間ブラシ収容部（１１０）は、凸部として前記歯間ブラシ収容領域に形成されている、
請求項１または２記載の容器（１）。
【請求項８】
前記歯間ブラシ収容領域は、プラスチック、特に形状安定性のシートを含んでいる、
請求項１から３までのいずれか１項記載の容器（１）。
【請求項９】
当該容器（１）はカバー（２００）を含んでおり、該カバー（２００）によって前記歯間ブラシ収容領域を覆うことができる、
請求項１から４までのいずれか１項記載の容器（１）。
【請求項１０】
前記カバー（２００）は第１の部分カバーを含んでおり、該第１の部分カバーは、閉鎖位置において前記ブラシ（３１０）を覆い、かつ前記柄（３２０）を最大でも部分的に覆う、
請求項５記載の容器（１）。
【請求項１１】
前記第１の部分カバーは突子を有しており、該突子によって前記閉鎖位置において前記柄（３２０）は前記クランプ溝（１１２）内において固定されている、
請求項５記載の容器（１）。
【請求項１２】
前記カバー（２００）は第２の部分カバーを有しており、該第２の部分カバーは、閉鎖位置において前記第１の部分カバーと一緒に前記歯間ブラシ（３００）を完全に覆う、
請求項５記載の容器（１）。
【請求項１３】
前記容器底部（１００）は第１の閉鎖部分（１２１）を、かつ前記カバー（２００）は第２の閉鎖部分（２２１）を有しており、前記第１の閉鎖部分（１２１）と前記第２の閉鎖部分（２２１）とは、互いに共働して、前記カバー（２００）を前記歯間ブラシ収容領域において保持する、
請求項５記載の容器（１）。
【請求項１４】
前記歯間ブラシ（３００）は、互いに平行に配置されていて、かつ特に等しく方向付けられている、
請求項１から６までのいずれか１項記載の容器（１）。
【請求項１５】
前記歯間ブラシ（３００）の前記柄（３２０）は、横軸部（３２１）を有している、
請求項１から７までのいずれか１項記載の容器（１）。
【請求項１６】
当該容器（１）はさらに歯間ブラシプローブを含んでいる、
請求項１から７までのいずれか１項記載の容器（１）。
【請求項１７】
請求項１から９までのいずれか１項記載の容器（１）と歯間ブラシホルダ（４００）とを含むセット。
【請求項１８】
前記歯間ブラシホルダ（４００）は、前記歯間ブラシ（３００）の横軸部（３２１）と連結するための、ダブルフォーク（４３０）を備えた連結領域を有している、
請求項１０記載のセット。
【請求項１９】
請求項１記載の歯間ブラシ収容領域を製造するための方法であって、シートを深絞りによって、前記歯間ブラシ収容領域の形状に加工する
ことを特徴とする、方法。
【請求項２０】
歯間ブラシホルダ（４００）を使用して、請求項１から９までのいずれか１項記載の容器（１）から歯間ブラシ（３００）を取り出すための方法であって、
−前記歯間ブラシホルダ（４００）を、前記歯間ブラシ（３００）に対する第１の角度で前記歯間ブラシ（３００）に連結させ、かつ次いで
−前記歯間ブラシホルダ（４００）を、前記歯間ブラシ（３００）に対する第２の角度に、特に前記歯間ブラシホルダ（４００）における前記歯間ブラシ（３００）の係止のために、旋回させる、
方法。
【請求項２１】
前記第１の角度は、９０°もしくは１８０°であり、かつ前記第２の角度は、１８０°もしくは９０°である、
請求項１３記載の方法。
【発明の詳細な説明】
【技術分野】
【０００１】
本発明は、歯間ブラシを備えた容器であって、このとき歯間ブラシは、ブラシと、歯間ブラシホルダにおける連結のための円筒形の柄とを含んでおり、かつこのとき容器は、容器底部の歯間ブラシ収容領域に歯間ブラシ収容部を含んでおり、該歯間ブラシ収容部によって歯間ブラシは、柄を介して解離可能に保持されている、容器に関する。
【０００２】
従来の技術
歯間ブラシは、歯間スペースをクリーニングするために働く。典型的には、歯間ブラシは、歯間ブラシを使用のために保持することができる歯間ブラシホルダと共に提供される。
【０００３】
歯間ブラシを備えた容器は、典型的には、複数の歯間ブラシを含んでいる。これらの歯間ブラシは、これらの歯間ブラシが、好ましくは歯間ブラシを手によって把持する必要なしに、歯間ブラシホルダによって良好に収容され得るように配置され、かつ収容されている。
【０００４】
歯間ブラシを備えたこのような容器は、従来技術に基づいて種々様々な実施形態において公知である。
【０００５】
独国特許出願公開第１０２０１１１０２５７１号明細書に開示された歯間クリーナセットでは、それぞれ個々の歯間クリーナが目標破損箇所を介して保持部分に結合されている。歯間クリーナを、収容部分内に収容された歯間クリーナセットから取り出すために、使用者は所望の歯間クリーナのグリップ部分を把持し、かつ保持部分に対して相対的に、目標破損箇所が裂断するように旋回させることができる。把持は、手によってまたはグリッパを用いて行うことができる。
【０００６】
独国特許発明第１００３４３６７号明細書には、歯間ブラシ用のホルダおよびソケットを備えた歯間ブラシが開示されている。ソケットは、剛毛部分に向かってクランププラグの形式で形成されている。ソケットのこの領域は、歯間ブラシの剛毛部分が先に挿入されているクランプの開口を完全に閉鎖する。
【０００７】
独国特許出願公開第１９８１２６０２号明細書には、容器内に貯えられているブラシの形態のデンタルユニットを収容するためのホルダが開示されている。容器からのブラシの取出しは、ホルダを用いて行われ、このときブラシの柄は、ホルダのフロント開口またはサイド開口において、ホルダのアームにおけるピンの移動によってクランプされ、かつ使用のために固定される。デンタルユニットは、容器内に支持されていて、この容器は、切欠きを備えた回転可能なカバーと、デンタルユニットが支持されているコンパートメントを備えた位置固定の底部とを含んでいる。
【０００８】
従来技術に基づいて公知の、歯間ブラシを備えた容器には、容器の製造が面倒でかつ高価であるか、または取扱いが人間工学的ではないという欠点がある。
【０００９】
本発明の開示
本発明の課題は、冒頭に述べた技術分野に属する、歯間ブラシを備えた容器であって、安価に製造可能であり、かつ同時に歯間ブラシの簡単な取出しを可能にする容器を提供することである。
【００１０】
この課題の解決手段は、請求項１に記載の特徴によって定義されている。本発明によれば、歯間ブラシ収容部は、クランプ溝として形成されており、該クランプ溝内に柄がクランプ保持されていて、かつクランプ溝から歯間ブラシは、クランプ溝の長手方向に対して直角方向に取出し可能である。
【００１１】
歯間ブラシ収容部をクランプ溝として形成することによって、歯間ブラシを簡単に取り出しかつ再び挿入することができる、特に簡単に製造可能な容器が得られる。
【００１２】
歯間ブラシは、クランプ溝からクランプ溝の長手方向に対して直角方向に、しかしながら場合によってはクランプ溝の長手方向に沿ってもクランプ溝から取り出すことができる。後者の場合にはクランプ溝および歯間ブラシは、歯間ブラシの柄における引張り力によって、かつブラシおよび／またはクランプ溝の変形により、歯間ブラシをクランプ溝の長手方向においてクランプ溝を通して貫通案内することが可能であるように形成されていてよい。これによって使用者にとっては、歯間ブラシの種々様々な取出し可能性が生じる。しかしながらまた択一的にクランプ溝および歯間ブラシは、クランプ溝の長手方向における引出しが、例えばブラシと柄との間におけるフランジの形成によって不可能であるように形成されていてもよい。
【００１３】
クランプ溝は、横断面で見て、つまりクランプ溝の長手方向に対して直角な断面で見て、例えばＵ字形に、または方形に形成されていてよい。しかしながら変化形態ではクランプ溝は、横断面で見て、クランプを実施することができる任意に他の形状を有することも可能である。
【００１４】
クランプ溝は、クランプ溝がばね力に抗してクランプ溝の長手方向に対して横方向に拡開され得るように形成されていてよい。このように構成されていると、この実施形態では柄は、ばね力を用いてクランプ溝内においてしっかりとクランプされ、かつこれにより保持される。クランプ溝は、柄をもっぱら静止摩擦によって保持することができるか、またはしかしながら追加的に、柄を固定するための形状結合部を含むことができる。クランプ作用を改善するために、クランプ溝は溝壁の一方の側または両側においてアンダカットされていてよく、長手方向条片を含んでいてよく、または突子またはこれに類したものを備えていてよい。長手方向条片もしくは突子は、好ましくはクランプ溝と一体に形成されているが、しかしながらまたクランプ溝の別体の要素として、特にゴム、シリコーン、またはこれに類したものから成る要素として設けられていてもよい。
【００１５】
さらに溝自体は形状安定性に形成されていてよく、これに対してクランプ溝は溝の内部に、柄をクランプ保持する弾性変形可能なクランプ条片を含んでいる。クランプ条片は、クランプ溝と一体に形成されていても、またはクランプ溝の別体の要素として形成されていてもよい。
【００１６】
容器は、特に歯間ブラシ収容領域を含んでおり、この歯間ブラシ収容領域は、歯間ブラシ収容部を含んでいる。歯間ブラシ収容領域は、好ましくは容器底部の領域である。追加的に歯間ブラシ収容領域は、例えば、カバーと共働することができる閉鎖部分を備えた領域のような別の領域を含んでいてよい（さらに下記参照）。さらにまたフランジが歯間ブラシ収容領域の周りに設けられていてもよく、このフランジは、一方では載置部として、かつ他方ではカバーを接着または溶着するための接触面として働くことができる。
【００１７】
好ましくは、歯間ブラシは、歯間ブラシが取出し後に再びクランプ溝内に戻され、かつ再びクランプ保持され得るようにクランプ溝において保持されている。
【００１８】
択一的に、歯間ブラシ収容部は、クランプ溝内への歯間ブラシの戻しが不可能であるように形成されていてもよい。
【００１９】
容器は、好ましくは６または１２の歯間ブラシを含んでいる。しかしながらまた択一的に、４、１０、または他の数の歯間ブラシが容器内に包装されていてもよい。
【００２０】
好ましくは、歯間ブラシはクランプ溝によってクランプ溝の長手方向において方向付けられている。そのためにクランプ溝は、歯間ブラシがクランプ溝の長手方向において方向付けられるように歯間ブラシの柄のクランプを可能にする、長手方向長さもしくはクランプ溝長さを含んでいる。
【００２１】
変化形態では、クランプ溝は比較的短く形成されていてもよく、このように構成されていると、歯間ブラシを、クランプ溝の長手方向に対して直角な軸線を中心にして旋回させることができる。
【００２２】
クランプ溝は、好ましくは、柄の柄長さの少なくとも１０％、好ましくは少なくとも２０％、特に約３０％が、クランプ溝内においてクランプ保持され得るように寸法設定されている。
【００２３】
変化形態では、柄の柄長さの１０％未満がクランプ溝内において保持され得るようになってもよく、しかしながらこのような場合でも歯間ブラシの方向付けを、固定することができる。
【００２４】
好ましくは、クランプ溝は横断面で見て開口方向に向かって先細りしており、これによって柄はクランプ溝内において係止されている。このように構成されていると、クランプ溝内における歯間ブラシの確定された位置が得られる。これによって、特にクランプ溝内への歯間ブラシの挿入を、使用者が感覚的に認識することによって、より確実に行うことができる。
【００２５】
変化形態では、クランプ溝の長手方向に対して直角な、クランプ溝の先細り部を省くことができる。
【００２６】
好ましくは、クランプ溝は、一方の端部領域に、横断面先細り部を柄のためのストッパとして含んでいる。このように構成されていると、クランプ溝の長手方向においても、歯間ブラシの位置を確定することができる。さらにストッパは、クランプ溝の長手方向におけるドッキング時の歯間ブラシホルダのための取付け補助としても働くことができる。横断面先細り部は、歯間ブラシのブラシを挿入することができるように構成されている。場合によっては、ブラシはこの領域において変形されていてもよい。
【００２７】
変化形態では、横断面先細り部を省くこともできる。
【００２８】
好ましくは、クランプ溝に、クランプ溝の長手方向において横断面拡大部が接続しており、これによって歯間ブラシホルダを、歯間ブラシの柄と一直線に整列させて連結させることができる。
【００２９】
変化形態では、横断面拡大部を省くこともできる。クランプ溝は２部分から形成されていてもよく、このように構成されていると、柄を、両部分の間における中間室において、特に歯間ブラシホルダによって把持することができる。柄は、開口または環状溝を有していてもよく、これによって歯間ブラシホルダを相応の対応部材に連結させることができる。
【００３０】
特にブラシの最大直径がクランプ溝の直径よりも大きい場合に、好ましくは、横断面拡大部はクランプ溝の長手方向において両側に設けられている。択一的に横断面拡大部は、クランプ溝の長手方向においてクランプ溝の一方の側にだけ設けられていてもよい。
【００３１】
好ましくは、クランプ溝に、クランプ溝の長手方向に隣接して屈曲折り目が設けられていて、該屈曲折り目は、クランプ溝の長手方向に対して横方向に容器底部に形成されている。このように構成されていると、容器底部の、歯間ブラシの柄端部の下に配置されている領域を、離反旋回させることができ、これによって歯間ブラシは、特に手による取出しのために比較的良好に接近可能である。取出し後に、容器を再び閉鎖するために、容器底部の領域を戻し旋回させることができる。屈曲折り目は、例えば材料先細り部として、またはパーフォレーションとして設けられていてよい。容器底部に、ユーロ孔（販売店における陳列棚に懸吊するための孔）を備えた領域が位置していて、かつ屈曲折り目がこの領域を貫いて延びている場合には、屈曲折り目は、ユーロ孔の領域を貫いて延長されてよく、または底部領域を屈曲折り目を中心にして折り曲げることができ、これに対してユーロ孔を備えた領域は触れられないままになるように、目標破損箇所／切込みが設けられていてもよい。さらにユーロ孔を備えた領域は、特にパーフォレーションまたはこれに類したものによって除去可能に形成されていてもよい。
【００３２】
変化形態では、屈曲折り目を省くこともできる。
【００３３】
好ましくは、歯間ブラシ収容部は、凸部として歯間ブラシ収容領域に形成されている。このように構成されていると、容器のための、特に簡単かつ安価な製造方法が得られる。
【００３４】
変化形態では、クランプ溝は、中実材料から、例えば発泡プラスチック、折り畳まれた厚紙、またはこれに類したものから形成されていてもよい。
【００３５】
好ましくは、クランプ溝は容器底部において、容器載置面に対して垂直方向の最も高い位置に設置された凸部を形成している。このように構成されていると、歯間ブラシホルダによって歯間ブラシを簡単に把持することができる。
【００３６】
変化形態では、例えば容器底部の縁部の領域も、最も高い位置に設置された領域として形成されていてよい。
【００３７】
好ましくは、歯間ブラシ収容領域は、プラスチック、特に形状安定性のシートを含んでいる。このように構成されていると、クランプ溝を、シートにおける凸部として安価に形成することができる。特に好ましくは、プラスチックはポリウレタンであるが、このときしかしながらまた、当業者にとって公知の他のプラスチック種類を使用することも可能である。
【００３８】
変化形態では、歯間ブラシ収容領域のために他の材料、特に厚紙、発泡材料等が設けられていてもよい。
【００３９】
好ましくは、容器はカバーを含んでおり、該カバーによって歯間ブラシ収容領域を覆うことができる。このように構成されていると、歯間ブラシを、汚染または機械的な影響から保護することができる。
【００４０】
変化形態では、カバーを省くこともできる。例えば個々の歯間ブラシがカバー可能であるように形成されていてもよい。さらにブラシが別個に閉鎖されていてもよく、これによって歯間ブラシ収容領域を完全に覆うことは不要になる。
【００４１】
特に好ましくは、カバーはヒンジを介して、特に屈曲可能な領域を介して容器底部に結合されている。これによって特に再閉鎖を簡単にすることができる。
【００４２】
特に好適な実施形態では、カバーは容器底部に一体に形成されており、この結果容器底部とカバーとを１つの作業ステップにおいて、特に深絞り方法を用いて成形することができる。これによって特に安価でかつ簡単な製造方法が得られる。
【００４３】
変化形態では、カバーと容器底部とは別個に製造されてもよい。この場合ヒンジは、例えば接着テープを用いて得ることができる。
【００４４】
好ましくは、カバーは第１の部分カバーを含んでおり、該第１の部分カバーは、閉鎖位置においてブラシを覆い、かつ柄を最大でも部分的に覆う。このように構成されていると、歯間ブラシのブラシが汚染されるおそれを発生させることなしに、歯間ブラシの柄を歯間ブラシホルダに連結すること、もしくは手によって把持することができる。さらに、歯間ブラシ、特にブラシに接触することなしに、容器を容器底部および第１の部分カバーを介して極めて良好に把持することができる。これによって最終的に、１つの歯間ブラシの把持時もしくは連結時に、この歯間ブラシまたは別の歯間ブラシが容器から落下し得ることを阻止することができる。それというのは、この歯間ブラシまたは別の歯間ブラシは、クランプ溝と第１の部分カバーとの間において保持されているからである。第１の部分カバーは、好ましくは単に歯間ブラシの、把持のために露出している必要が無い領域だけを覆っており、つまり好ましくは、ブラシおよびクランプ溝は、第１の部分カバーによって覆われ、これに対して柄の、ブラシとは反対側に位置している端部においてクランプ溝から突出している領域は、第１の部分カバーによって覆われていない。柄のこの領域において歯間ブラシは、手によって把持されるか、または歯間ブラシホルダに連結することができる。
【００４５】
変化形態では、第１の部分カバーを省くこともできる。
【００４６】
好ましくは、第１の部分カバーは突子を含んでおり、該突子によって閉鎖位置において柄はクランプ溝内において固定されている。このように構成されていると、クランプ溝に加えて形状結合式の固定が得られる。特にクランプ溝が横断面で見て開口方向に先細りしており、これによって柄を半周よりも多く取り囲んでいる場合には、柄が追加的に突子によって半径方向で支持されることが有利なことがある。このように構成されていると、強い振動時にも、歯間ブラシがクランプ溝から解離することを阻止することができる。
【００４７】
変化形態では、突子を、特にクランプ溝の領域において省くこともできる。
【００４８】
好ましくは、カバーは第２の部分カバーを含んでおり、該第２の部分カバーは、閉鎖位置において第１の部分カバーと一緒に歯間ブラシを完全に覆う。特に好ましくは、歯間ブラシは、第１の部分カバー、容器底部、および第２の部分カバーによって完全に閉鎖される。これによって特に衛生的な包装を得ることができる。
【００４９】
変化形態では、第２の部分カバーを省くこともできる。衛生的な包装を得るために、容器を例えばシート内において溶着することができる。
【００５０】
好ましくは、容器底部は第１の閉鎖部分を、かつカバーは第２の閉鎖部分を含んでおり、第１の閉鎖部分と第２の閉鎖部分とは、互いに共働して、例えば係合することにより、カバーを歯間ブラシ収容領域において保持する。
【００５１】
択一的に、カバーと容器底部とは、溶着または接着されてもよい。
【００５２】
好ましくは、容器底部は、第１の閉鎖部分として外側の環状の段部を含んでいて、かつカバーは、相応の内側の環状の段部を第２の閉鎖部分として含んでおり、このとき第２の環状の段部は、第１の環状の段部の上にぴったりと被さることができ、かつこのようにしてカバーを容器底部にクランプ作用をもって保持する。択一的に、第１の段部が内側において環状に、かつ第２の段部が外側において環状に形成されていてもよく、このように構成されていると、第２の段部を第１の段部内にぴったりと挿入することができる。容器底部およびカバーは、このような段部を複数有していてもよい。
【００５３】
容器底部の外側の環状の段部は、さらに背側において、かつそこで内側の環状の段部として、アコーディオン状折畳み部またはこれに類したものを収容するために使用されてよい。アコーディオン状折畳み部を保持するために、突子が内側の環状の段部に設けられていてよい。さらに、容器底部および／またはカバーの環状の段部は、同時に形状安定化のために働くことができる。
【００５４】
択一的に、別の閉鎖部分が設けられていてもよい。例えば容器底部は、凸部、例えばほぼ半球形状の凸部を、かつカバーは相応の凹部を含んでいてよく、このとき凸部は、カバーが容器底部にしっかりクランプされるように凹部内に押し込まれることができる。当業者には、別の閉鎖部分も公知である。
【００５５】
全般的に、閉鎖部分とは無関係に、容器底部は追加的にカバーに溶着または接着されていてよい。一回目の使用時に、接着箇所または溶着箇所は破壊される。再閉鎖は、閉鎖部分を介して行われる。
【００５６】
好ましくは、歯間ブラシは、互いに平行に配置されていて、かつ特に等しく方向付けられている。このように構成されていると、歯間ブラシの取出しのために容器をそれぞれ等しく方向付けできることが可能になる。これによって容器の取扱いが簡単になる。
【００５７】
択一的に歯間ブラシは、交互に平行に方向付けられていてもよく、このようになっていると、１つの歯間ブラシのそれぞれのブラシが、隣接した歯間ブラシの柄に隣接することになる。このように構成されていると、場合によっては比較的コンパクトな容器を得ることができる。しかしながらまた歯間ブラシは、円形に、ジグザグに、またはそれ以外の形で配置されていてもよい。
【００５８】
歯間ブラシのブラシは、種々様々に形成されていてよい。特に容器は、歯間スペースの寸法に関連して使用することができる種々様々に成形された歯間ブラシを含むことができる。
【００５９】
歯間スペースの寸法を測定するために、ひいては適宜な歯間ブラシを選択できるようにするために、容器は、好ましくは歯間ブラシプローブを含んでいる。歯間ブラシプローブは、好ましくは欧州特許第０８９２６２５号明細書（Curaden AG）に記載された歯間ブラシプローブである。
【００６０】
択一的に、歯間スペースを測定するための別の手段が容器によって含まれていてもよい。
【００６１】
好ましくはセットが、歯間ブラシを備えた容器と、歯間ブラシを把持するための歯間ブラシホルダとを含んでいる。
【００６２】
好ましくは、歯間ブラシの柄は、横軸部を含んでいる。このように構成されていると、歯間ブラシの柄を歯間ブラシホルダによって把持することができる。
【００６３】
択一的に、横軸部を省くこともできる。当業者には、歯間ブラシホルダにおける歯間ブラシの択一的な固定可能性が多数公知である。
【００６４】
好ましくは、歯間ブラシホルダは、横軸部のためのストッパ（特にダブルフォーク、下記参照）を含んでおり、これによって歯間ブラシを、歯間ブラシの長手方向軸線に関して回動不能に保持することができる。
【００６５】
択一的に、横軸部およびストッパを用いた回動防止装置を省くこともできる。回動防止装置は、他の形式で得ることも可能である。場合によっては回動防止装置を省くこともできる。
【００６６】
好ましくは、歯間ブラシホルダは、歯間ブラシの横軸部に連結するために、ダブルフォークを備えた連結領域を含んでいる。ダブルフォークとしての連結領域の形成は、横軸部との共働において、歯間ブラシに対して異なった角度における歯間ブラシホルダの連結を可能にする。
【００６７】
歯間ブラシホルダに歯間ブラシを保持するために、択一的に、ダブルフォークの代わりに、歯間ブラシ収容部に似たクランプ溝が設けられていてもよい。当業者には、さらに別の変化形態が公知である。
【００６８】
歯間ブラシは、横軸部の遠位に接続されている心棒を有することができ、これによって歯間ブラシホルダに対する旋回を阻止することができる。そのために歯間ブラシホルダは、ダブルフォークの間に、つまり歯間ブラシホルダの中心軸線上に、心棒のための収容部を有することができる（下記参照）。
【００６９】
歯間ブラシ収容領域を製造するための方法では、シートを深絞りによって、歯間ブラシ収容領域の形状に加工する。好ましくは、容器底部は全体として深絞り方法によって製造される。特に好ましくは、容器底部とカバーとは、特に一体に、一回の深絞り方法によって製造される。次いで歯間ブラシを、歯間ブラシ収容領域における、深絞り方法によって製造されたクランプ溝内においてクランプすることができる。
【００７０】
択一的に、歯間ブラシ収容領域だけ、または歯間ブラシ収容部自体だけを、深絞りによって製造することも可能である。容器底部およびカバーは、必ずしも同じ製造方法によって製造する必要はない。例えば容器底部は発泡によって、または厚紙から、かつカバーは深絞り方法によって製造されていてよい。しかしながらまたカバーは、単に薄いカバーシートとして形成されていてもよく、このカバーシートは、底部の縁部領域に平らに接着または溶着される。
【００７１】
歯間ブラシホルダを使用して、容器から歯間ブラシを取り出すための方法では、歯間ブラシホルダを、歯間ブラシに対する第１の角度で歯間ブラシに連結させ、かつ次いで歯間ブラシホルダを、歯間ブラシに対する第２の角度に、特に歯間ブラシホルダにおける歯間ブラシの係止のために、旋回させる。旋回運動によって、歯間ブラシと歯間ブラシホルダとの間における特にしっかりとした係止部を得ることができ、特にそれというのは、これによって僅かな力の使用で、比較的大きなトルクを連結箇所において得ることができるからである。
【００７２】
好ましくは、第１の角度は、９０°もしくは１８０°であり、かつ第２の角度は、１８０°もしくは９０°である。したがって使用に応じて、歯間ブラシホルダと歯間ブラシ、ひいては特にブラシとの間における角度を、１８０°または９０°に選択することができ、かつ同時に十分にしっかりとした係止部を旋回運動によって得ることができる。
【００７３】
変化形態では、第１の角度と第２の角度とは、他の値で選択されていてもよい。第１の角度は、例えば６０°と１２０°との間もしくは１５０°と２１０°との間に位置していてよく、これに対して、第２の角度は、１５０°と２１０°との間もしくは６０°と１２０°との間に位置していてよい。これによって歯間ブラシの使用領域および形式に応じて、使用形態を人間工学的に最適化することができる。両方の角度の選択は、係止部の形式および要求された最終位置に関連している。したがって他の角度をも設定できることは、当業者にとって明らかである。
【００７４】
以下の詳細な説明および特許請求の範囲の記載全体から、本発明のさらなる好適な実施形態および特徴の組合せが得られる。
【００７５】
次に図面を参照しながら実施例を説明する。
【図面の簡単な説明】
【００７６】
【図１ａ】図１ａ〜図１ｄは、歯間ブラシホルダによって歯間ブラシを把持する経過を概略的に示す、クランプ溝の長手方向軸線に対して横方向で見た側面図であって、図１ａは第１ステップを示す側面図である。
【図１ｂ】第２ステップを示す側面図である。
【図１ｃ】第３ステップを示す側面図である。
【図１ｄ】第４ステップを示す側面図であって、歯間ブラシの軸線と歯間ブラシホルダの軸線とが一直線である最終状態を示す側面図である。
【図２ａ】図２ａ〜図２ｄは、歯間ブラシホルダによって歯間ブラシを把持する経過を概略的に示す、クランプ溝の長手方向軸線に対して横方向で見た側面図であって、図２ａは第１ステップを示す側面図である。
【図２ｂ】第２ステップを示す側面図である。
【図２ｃ】第３ステップを示す側面図である。
【図２ｄ】第４ステップを示す側面図であって、歯間ブラシの軸線と歯間ブラシホルダの軸線とが互いに直角に位置している最終状態を示す側面図である。
【図３ａ】容器の第１実施形態を、カバーの開放旋回状態において概略的に示す平面図である。
【図３ｂ】図３ａの一部を拡大して、クランプ溝内に保持された柄を示す詳細図である。
【図４】図３ａに示された容器の第１実施形態を、カバーの閉鎖状態において示す平面図である。
【図５】図４に示されたＡ−Ａ線に沿った断面図である。
【図６ａ】歯間ブラシホルダを概略的に示す斜視図である。
【図６ｂ】図６ａに示された歯間ブラシホルダの連結領域を示す詳細図である。
【図７】容器の第２実施形態を、カバーの開放旋回状態において概略的に示す平面図である。
【図８】図７に示された容器を概略的に示す側面図である。
【図９】図８に示された屈曲折り目を詳細に示す図である。
【図１０ａ】容器の第２実施形態を、カバーの開放旋回状態において概略的に示す斜視図である。
【図１０ｂ】図１０ａに示された容器の第２実施形態を、カバーの部分的な閉鎖状態において概略的に示す斜視図である。
【図１０ｃ】図１０ａに示された容器の第２実施形態を、カバーの完全な閉鎖状態において概略的に示す斜視図である。
【００７７】
基本的に、図面において等しい部分には等しい符号が付されている。
【００７８】
本発明の実施の形態
図１ａには、容器１.１；１.２の第１実施形態および第２実施形態の容器底部１００が側面図で示されている。容器底部１００は、歯間ブラシ３００のための歯間ブラシ収容部１１０を含んでいる。
【００７９】
歯間ブラシは、主として柄３２０およびブラシ３１０を含んでいる。柄３２０およびブラシ３１０は、本実施形態ではほぼ回転対称に成形されていて、かつ本実施形態では１つの共通の回転軸線を有している。柄３２０は、ほぼ円筒形に形成されていて、しかしながら追加的に、歯間ブラシホルダ４００のための連結手段を有している（下記参照、図３ｂ）。ブラシ３１０は、本実施形態では円筒体として示されている。しかしながら当業者にとって明らかなように、ブラシは、種々様々な形状、特に例えば円錐形等を有していてよい。
【００８０】
歯間ブラシ収容部１１０は、クランプ溝を含んでいて、このクランプ溝内に、歯間ブラシ３００の柄３２０がクランプ保持されている。クランプ溝の長手方向軸線は、図１ａでは図平面に沿って延びている。クランプ溝は、本実施形態では、柄３２０の柄長さの約５０％に相当するクランプ溝長さを有している。これによって歯間ブラシ３００は、クランプ溝内において方向付けられている。クランプ溝は、横断面で見て、開口に向かって先細りになるＵ字形を有している。これによって歯間ブラシ３００の柄３２０を、クランプ溝底部に向かって押圧することができ、これにより歯間ブラシは、歯間ブラシ収容部１１０内に確実に保持されている。
【００８１】
図１ａ〜図１ｄには、歯間ブラシホルダ４００によって歯間ブラシ３００を把持する過程が、クランプ溝の長手方向軸線に対して横方向から見た側面図で概略的に示されており、このとき最終状態において、歯間ブラシ３００の軸線と歯間ブラシホルダ４００の軸線とは、一直線を成している。
【００８２】
図１ａに示された第１ステップにおいて、歯間ブラシホルダ４００は、歯間ブラシの柄３２０に連結され、この結果歯間ブラシホルダ４００の長手方向軸線は、クランプ溝の長手方向軸線に対してもしくは柄３２０の柄長手方向軸線に対して直角に方向付けられている。連結は、歯間ブラシホルダ４００のダブルフォークを介して行われ、このダブルフォークは、歯間ブラシ３００の柄の横軸部において係止する。係止のために歯間ブラシホルダ４００は、その長手方向軸線に沿って横軸部に向かって接近運動させられる。ダブルフォークについては、図６ａおよび図６ｂとの関連において詳しく記載する。
【００８３】
図１ｂに示された第２ステップにおいて、歯間ブラシホルダ４００は、図１ａに示された位置から図１ｃに示された位置に向けて旋回させられる。図１ｃにおいてクランプ溝もしくは歯間ブラシ３００の柄３２０と歯間ブラシホルダとは、同じ長手方向軸線を成しており、つまり１８０°の中間角度が存在している。この位置が得られると、歯間ブラシホルダ４００の相応の係止溝における、柄３２０の近位領域の第２の係止が行われる。
【００８４】
図１ｄに示された最終ステップにおいて、いまや歯間ブラシホルダ４００を用いて、歯間ブラシ３００の柄３２０を、歯間ブラシ収容部１１０のクランプ溝から解離させることができる。この運動は、クランプ溝方向に対して直角に、もしくは柄３２０の長手方向軸線に対して直角に行われる。そのために歯間ブラシホルダ４００は、歯間ブラシ長手方向に対して直角に歯間ブラシ収容部１１０から離反方向に引っ張られる。
【００８５】
図２ａ〜図２ｄには、図１ａ〜図１ｄに示された容器底部１００から、歯間ブラシホルダ４００によって歯間ブラシ３００を把持する過程が、クランプ溝の長手方向軸線に対して横方向から見た側面図で概略的に示されており、このとき最終状態において、歯間ブラシ３００の軸線と歯間ブラシホルダ４００の軸線とは、互いに直角を成している。
【００８６】
図２ａに示された第１ステップにおいて、歯間ブラシホルダ４００は、歯間ブラシの柄３２０に連結され、この結果歯間ブラシホルダ４００の長手方向軸線は、クランプ溝の長手方向軸線もしくは柄３２０の柄長手方向軸線と一直線を成している。連結は、歯間ブラシホルダ４００のダブルフォークを介して行われ、このダブルフォークは、歯間ブラシ３００の柄の横軸部において係止する。係止のために歯間ブラシホルダ４００は、その長手方向軸線に沿って横軸部に向かって接近運動させられる。
【００８７】
図２ｂに示された第２ステップにおいて、歯間ブラシホルダ４００は、図２ａに示された位置から図２ｃに示された位置に向けて旋回させられる。図２ｃにおいてクランプ溝の長手方向軸線もしくは歯間ブラシ３００の柄３２０と歯間ブラシホルダ４００とは、互いに垂直に位置している。この位置が得られると、歯間ブラシホルダ４００の相応の係止溝における、柄３２０の近位領域の第２の係止が行われる。
【００８８】
図２ｄに示された最終ステップにおいて、いまや歯間ブラシホルダ４００を用いて、歯間ブラシ３００の柄３２０を、歯間ブラシ収容部１１０のクランプ溝から解離させることができる。この運動は、クランプ溝方向に対して直角に、もしくは柄３２０の長手方向軸線に対して直角に行われる。そのために歯間ブラシホルダ４００は、歯間ブラシ長手方向に対して直角に歯間ブラシ収容部１１０から離反方向に引っ張られる。
【００８９】
図３ａには、容器１.１の第１実施形態がカバー２００.１の開放旋回状態において、平面図で概略的に示されている。容器１.１は、本実施形態では６つの歯間ブラシ収容部１１０.１を備えた容器底部１００.１を含んでおり、これらの歯間ブラシ収容部１１０．１には、それぞれ１つの歯間ブラシ３００が収容されている。容器底部１００.１には、カバー２００.１がヒンジ領域を介して一体に結合されている。容器底部１００.１およびカバー２００.１は、深絞り方法によって形状安定性のプラスチックシートから製造されている。ここで述べておくと、実地において歯間ブラシ３００のブラシ３１０は、図示の図２ａ，２ｂ等に示されているよりも大幅に小さくてよい。ブラシ３１０は、単に、図面に例示された包装におけるブラシ３１０にふさわしいと言える最大空間のためにある。典型的には包装は歯間ブラシに対して、ブラシが包装された状態において互いに接触しないように適合させられている。
【００９０】
図３ｂには、歯間ブラシ３００の、歯間ブラシ収容部１１０.１のクランプ溝内に保持された柄３２０が、図３ａの一部を拡大した詳細図で示されている。歯間ブラシ収容部１１０.１のクランプ溝は、クランプ溝の長手方向に対する横断面図で見て、開口に向かって先細りになるＵ字形を有している。先細り部は、柄３２０の直径よりも僅かに細いので、柄３２０は、クランプ溝の長手方向に対して直角方向における、クランプ溝からの取出し時に、歯間ブラシ収容部の弾性変形によって先細り部を拡大させる。さらに図３ｂにおいては、歯間ブラシ３００の柄３２０における横軸部３２１を見ることができ、この横軸部３２１は、歯間ブラシホルダのダブルフォークによって把持することができる。
【００９１】
図４には、図３ａに示された容器１.１の第１実施形態が、カバー２００.１の閉鎖状態において平面図で示されている。図５には、図４のＡ−Ａ線に沿った断面図が示されている。
【００９２】
容器底部１００.１は、外側の環状の縁部として載置面１２０.１を有しており、この載置面１２０.１には、下側において切欠きが接続しており、この切欠きには、アコーディオン状折畳み部（Leporello）が突子またはこれに類したものを用いてクランプすることができる。載置面１２０.１には、載置面１２０.１に対して垂直な、外側の環状の段部１２１.１が接続しており、この段部１２１.１もまた下側の切欠きを形成している。段部１２１.１には、載置面１２０.１に平行な平面が接続しており、この平面上において、歯間ブラシ収容部１１０．１は、プラットフォーム（Podest）１１１.１におけるクランプ溝１１２.１によって形成されている。クランプ溝１１２.１は、載置面１２０.１に対して、容器底部１００.１の最大高さ点を形成している。プラットフォーム１１１.１は、主として、容器底部１００.１を安定化させるために、かつクランプ溝底部を高く配置するために働くので、一方ではブラシ３１０は、平面上に載置されておらず、かつ他方では、柄３２０を把持するための十分な自由空間が生じている。
【００９３】
カバー２００.１は、歯間ブラシ３００を備えた容器底部１００.１の横断面形状にほぼ相当する横断面形状を有している。特にカバー２００.１もまた、外側の環状の縁部として、載置面２２０.１を有しており、この載置面２２０.１は閉鎖状態において、載置面１２０.１の上側に載置されていて、かつこの載置面１２０.１と場合によっては溶着または接着されていてよい。載置面２２０.１には同様に、載置面２２０.１に対して垂直でかつ内側の環状の段部２２１.１が接続している。閉鎖状態において段部２２１.１の内面は、段部１２１.１の外面に接触しているので、カバー２００.１は容器底部１００.１にしっかりとクランプされている。クランプ作用は、載置面２２０.１との載置面１２０.１の接着または溶着を省くことができるように選択されていてよい。
【００９４】
図６ａには、歯間ブラシホルダ４００が概略的に斜視図で示されている。歯間ブラシホルダ４００はグリップ４１０を有しており、このグリップ４１０は、歯間ブラシホルダ４００を把持するためのグリップ領域４１１と、折り曲げられた領域４１２とに分割されている。折り曲げられた領域４１２の遠位部において、グリップ領域４１１とは反対側に、歯間ブラシ３００を収容するためのヘッド４２０が接続している。
【００９５】
図６ｂには、図６ａに示された歯間ブラシホルダの連結領域が詳細図で示されている。歯間ブラシホルダ４００の連結領域は、ヘッド４２０によって形成される。このヘッド４２０は、ほぼ球形状をしていて、この球形状には、歯間ブラシの柄３２０もしくは横軸部３２１のための収容部が形成されている。横軸部３２１を収容するために、ヘッド４２０はダブルフォーク４３０を有しており、このダブルフォーク４３０は主として、折り曲げられた領域４１２の長手方向軸線に対して直角な横方向溝によって、ヘッドに形成されている。連結時には第１ステップにおいて、横軸部３２１がダブルフォーク４３０において係止される。
【００９６】
ヘッドはさらに係止溝４４０を有しており、この係止溝４４０は、折り曲げられた領域４１２に対して直角に方向付けられている。柄３２０は、折り曲げられた領域４１２に対して直角な方向付けにおいて、係止溝４４０において係止することができる。これによって歯間ブラシ３００は、歯間ブラシホルダ４００において直角に図２ｄに示されているように保持される。
【００９７】
ヘッドはさらに別の係止溝４５０を有しており、この係止溝４５０は、折り曲げられた領域４１２の方向に方向付けられている。これによって柄３２０は、折り曲げられた領域４１２に平行な方向付けでも係止溝４５０において係止することができる。これによって歯間ブラシ３００は、歯間ブラシホルダ４００に１８０°の角度で図１ｄに示されているように保持される。
【００９８】
歯間ブラシホルダの長手方向軸線との関係における上の記載は、それぞれ折り曲げられた領域４１２の長手方向軸線に関係しており、この折り曲げられた領域４１２に対して、ダブルフォーク４３０の溝および係止溝４４０は直角に延びている。
【００９９】
図７には、容器１.２の第２実施形態が、カバー２００.２の開放旋回状態において概略的に平面図で示されている。容器１.２の第２実施形態は、主として、カバー２００.２と容器底部１００.２における折り目１３０.２とに関して、第１実施形態の容器１.１と異なっている。歯間ブラシ収容部１１０は、折り目１３０.２によって生ぜしめられた中断部以外は、第１実施形態の歯間ブラシ収容部１１０と同一である。
【０１００】
図７において分かるように、容器底部１００.２は、クランプ溝１１２.２に沿って、つまりクランプ溝１１２.２に対して直角方向に、歯間ブラシの柄の側に、もしくはブラシとは反対側に、折り目１３０.２を有している（図９における詳細図も参照）。折り目１３０.２は、クランプ溝方向に対して横方向に、ユーロ孔（Euroloch）の領域内にまで延びている。そこで折り目１３０.２は、折り目１３０.２に対して横方向に方向付けられたパーフォレーション１３１.２に到達している。使用時においてパーフォレーション１３１.２は裂断することができ、これによって容器底部１００.２の領域、つまり歯間ブラシ（ここでは図示せず）の、クランプ溝１１２.２を越えて突出している柄の下側に張り出している領域を、下方に向かって柄から離れる方向に折り畳むことができる。これによって歯間ブラシの柄の、クランプ溝１１２.２に隣接している領域を、完全に開放することができ、これによって、容器底部１００.２が使用者の邪魔になることなしに、歯間ブラシを特に人間の手によって把持することができる。
【０１０１】
容器１.２の第２実施形態は、さらに２部分から成るカバー２００.２を含んでおり、このカバー２００.２は、第１の部分カバー２１０.２と第２の部分カバー２２０.２とを含んでいる。
【０１０２】
第１の部分カバー２１０.２は、容器底部１００.２のブラシ側の縁部領域において、折り目２１２.２を介して容器底部１００.２に、クランプ溝１１２.２に対して横方向に枢着されている。第１の部分カバー２１０.２は、この第１の部分カバー２１０.２が閉鎖位置においてブラシおよびクランプ溝１１２.２を覆うように寸法設定されている。第１の部分カバー２１０.２は、閉鎖位置に関して内側に突子２１１.２を有しており、これらの突子２１１.２は、突子が閉鎖位置においてクランプ溝１１２.２内に突出し、これによってそこで歯間ブラシの柄を固定できるように配置され、かつ寸法設定されている。
【０１０３】
使用時において、歯間ブラシホルダを連結するために、歯間ブラシがクランプ溝１１２.２において突子２１１.２によって保持されており、これによって歯間ブラシは半径方向において固定されており、これに対してブラシは依然として第１の部分カバー２１０.２によって覆われている。クランプ溝１１２.２における前側のストッパによって、歯間ブラシは連結時に前方に向かっても滑ることができず、その結果、歯間ブラシホルダとの簡単な連結が可能となる一方、ブラシを無菌に保つことができる。
【０１０４】
第２の部分カバー２２０.２は、第１実施形態のカバー２００.１にほぼ相当しているが、第１実施形態のカバー２００.１とは異なり、第２の部分カバー２２０.２は、クランプ溝の方向付けに対して横方向に、柄側において容器底部１００.２に枢着されている。これによって第１の部分カバー２１０.２と第２の部分カバー２２０.２とは、容器底部１００.２の縁部領域において互いに向かい合って位置している２つの側に枢着されている。第２の部分カバー２２０.２は凸部２２１.２を有しており、これらの凸部２２１.２には、第２の部分カバーの閉鎖状態において、歯間ブラシの柄の、クランプ溝１１２.２を越えて突出している部分が保持される。さらに第２の部分カバー２２０.２は、舌片２２３.２を含んでおり、この舌片２２３.２を用いて第２の部分カバー２２０.２を開放することができる。
【０１０５】
図８には、図７に示された容器が概略的に側面図で示されている。この図において特に折り目１３０.２を見ることができ、この折り目１３０.２において容器底部１００.２を折り曲げることができる。さらに、第１の部分カバー２１０．２の折り目２１２.２および第２の部分カバー２２０．２の折り目２２２.２を良好に見ることができる。
【０１０６】
図９には、図８に示された折り目１３０.２が詳細に示されている。折り目１３０.２はほぼ、プラスチックシートから成る結合ウェブとして形成されている。材料厚さに応じて、折り目１３０.２は切れ目が付けられているか、またはパーフォレーションが付けられていてよく、このように構成されていると、折曲げを容易にすることができる。
【０１０７】
後続の１０ａ〜図１０ｃには、容器１.２の第２実施形態を閉鎖するための過程が示されている。
【０１０８】
図１０ａには、カバーの開放旋回状態における容器１.２の第２実施形態が概略的に斜視図で示されている。第１ステップにおいて、いまや第１の部分カバー２１０.２は、歯間ブラシのブラシ上方に旋回させられ、これによって突子２１１.２はクランプ溝１１２.２内に達し、かつ歯間ブラシは柄において固定される。図１０ｂには、カバー２００.２の部分的な閉鎖状態における、つまり第１の部分カバー２１０.２の閉鎖状態における、容器１．２の斜視図が概略的に示されている。第２ステップにおいて第２の部分カバー２２０.２は閉鎖される。図１０ｃには、カバー２００.２の完全な閉鎖状態における、つまり第２の部分カバー２２０.２が追加的に閉鎖された状態における、容器１．２の斜視図が概略的に示されている。これによって歯間ブラシは、いまや完全に覆われており、かつ確実に搬送すること、または保管することができる。
【０１０９】
まとめると、本発明によれば歯間ブラシを備えた容器であって、特に安価に製造可能であり、かつそこから歯間ブラシを簡単かつ快適に取り出すことができる容器が提供されるということを確認することができる。
【図１ａ】
2020529268.tif 000003
【図１ｂ】
2020529268.tif 000004
【図１ｃ】
2020529268.tif 000005
【図１ｄ】
2020529268.tif 000006
【図２ａ】
2020529268.tif 000007
【図２ｂ】
2020529268.tif 000008
【図２ｃ】
2020529268.tif 000009
【図２ｄ】
2020529268.tif 000010
【図３ａ−３ｂ】
2020529268.tif 000011
【図４】
2020529268.tif 000012
【図５】
2020529268.tif 000013
【図６ａ−６ｂ】
2020529268.tif 000014
【図７】
2020529268.tif 000015
【図８】
2020529268.tif 000016
【図９】
2020529268.tif 000017
【図１０ａ】
2020529268.tif 000018
【図１０ｂ】
2020529268.tif 000019
【図１０ｃ】
2020529268.tif 000020
【国際調査報告】
2020529268.tif 000021
2020529268.tif 000022
2020529268.tif 000023
2020529268.tif 000024